(57)【特許請求の範囲】
【請求項１】
ハウジングと、
該ハウジングの一面に配置された第１のカメラと、
該ハウジングの他面に配置された第２のカメラと、
使用者に該第１のカメラと該第２のカメラとのうちの少なくとも１つを選択させて画像キャプチャ機能を実行するように構成された少なくとも１つの入力ユニットと、
該第１のカメラのキャプチャ方向と略同一な出力方向を有するディスプレイユニットであって、該第１のカメラと該第２のカメラとのうちの少なくとも１つによってキャプチャされた画像を示すことによって、ビューファインダーとして機能するように構成されているディスプレイユニットと、
タッチ入力可能に形成される第２のディスプレイユニットであって、前記携帯端末機が閉じた構成において作動している間において前記第２のカメラによってキャプチャされた画像を示すことによって、ビューファインダーとして機能するように適合されている第２のディスプレイユニットと、
前記第１のカメラと前記第２のカメラの少なくとも１つによりキャプチャされる画像を送信し、他の携帯端末機によりキャプチャされる画像を受信し、画像通話モードを実行する送受信機と、
を備える、ビデオ電話用の携帯端末機であって、
該第１のカメラは、該第２のカメラのキャプチャ方向とは異なるキャプチャ方向を有し、前記第１のカメラの画像解像度が前記第２のカメラの画像解像度よりも低く、
前記画像通話モードで、
前記ディスプレイユニットは第１及び第２の画面領域に区画され、
前記第１の画面領域には前記第１のカメラによりキャプチャされる画像が表示され、前記第２の画面領域には前記受信された画像が表示され、
前記第２のディスプレイユニットは前記画像通話モードの設定を変更できるように形成され、
前記設定が変更されると、前記第１の画面領域には絵データが表示され、前記第２のディスプレイユニットに入力される文字や絵が他の携帯端末機に送信されることを特徴とする、携帯端末機。
【請求項２】
開いた位置と閉じた位置との間において可動な保護装置であって、前記第２のカメラを覆うように構成されている保護装置をさらに備え、前記第１のボディと前記第２のボディの閉じた構成で前記保護装置が前記開いた位置に移動されて前記第２のカメラを露出する場合には、前記第２のカメラによってキャプチャされた画像が前記第２のディスプレイユニットに自動的に表示される、請求項１に記載の携帯端末機。
【請求項３】
第１のボディと、
第２のボディと、
該第１のボディに配置された第１のカメラであって、第１のキャプチャ方向を有する第１のカメラと、
該第２のボディに配置された第２のカメラであって、第２のキャプチャ方向を有する第２のカメラと、
画像キャプチャ機能を実行するように構成された少なくとも１つのスイッチキーと、
該第１のキャプチャ方向または該第２のキャプチャ方向と略同一な出力方向を有するディスプレイユニットと、
タッチ入力可能に形成される第２のディスプレイユニットであって、前記携帯型通信装置が閉じた位置にある間において前記第２のカメラによってキャプチャされた画像を示すことによって、ビューファインダー機能を提供するように適合されている第２のディスプレイユニットと、
開いた位置と閉じた位置との間を可動な保護カバーと、
該第１のカメラによってキャプチャされた画像を送信し、別の携帯型通信装置によってキャプチャされた画像を受信し、画像通話モードを実行する送受信機と
を備える、ビデオ電話できる携帯型通信装置であって、
前記第２のボディは、開いた位置と閉じた位置との間において前記第１のボディに対して前記ディスプレイユニットに平行な軸を中心に回転でき、
前記第１のカメラの画像解像度が前記第２のカメラの画像解像度より低く、
前記画像通話モードで、
前記ディスプレイユニットは第１及び第２の画面領域に区画され、
前記第１の画面領域には前記第１カメラによりキャプチャされる画像が表示され、前記第２の画面領域には前記受信された画像が表示され、
前記第２のディスプレイユニットは前記画像通話モードの設定を変更できるように形成され、
前記設定が変更されると、前記第１の画面領域には絵データが表示され、前記第２のディスプレイユニットに入力される文字や絵が他の携帯端末機に伝送されることを特徴とする、携帯型通信装置。
【請求項４】
前記第１のカメラが、前記第１のボディにおいて、前記ディスプレイユニットと同一の面に配置されているか、該ディスプレイユニットと反対の面に配置されており、前記第２のカメラが、前記第２のボディにおいて、前記第２のディスプレイユニットと同一の面に配置されているか、該第２のディスプレイユニットと反対の面に配置されている、請求項３に記載の携帯型通信装置。
【請求項５】
前記第１のボディと前記第２のボディの閉じた位置で前記保護カバーが前記開いた位置に移動される場合には、前記第２のカメラによってキャプチャされた画像が前記第２のディスプレイユニットに自動的に表示される、請求項３に記載の携帯型通信装置。
【発明の詳細な説明】
【技術分野】
【０００１】
本発明は、画像通信が可能な携帯用通信装置に関し、より詳細には、簡単な操作によって良質の画像情報を他の使用者と便利に交換でき、画像通信をしながら使用者の所望する情報を画像で伝送できる携帯端末機に関する。
【背景技術】
【０００２】
一般的に、携帯端末機は、無線の音声通信用として使用されたが、徐々にその機能領域が多様化するにつれて、音声通信機能と共にインターネット、マルチメディアなどの映像サービスだけでなく、所望の被写体を映像ファイルで貯蔵し得るように撮影できる多様な形態のカメラが装着されたカメラフォンの普及が増加している。
【０００３】
さらに、最近の携帯端末機は、撮影の便利性のために、一定角だけ回転できる回転型カメラが装着され、回転型カメラを利用した画像通信を支援している。
【０００４】
以下、図８及び図９を参照して、従来技術の携帯端末機に対して説明する。
【０００５】
図８に示すように、従来技術の携帯端末機１は、本体２０と、該本体２０の内部に通信の制御などのために設置される回路部(図示せず)と、本体２０の背面に脱着が可能に装着されるバッテリー２２と、本体２０とヒンジ機構４０によってヒンジ連結されるフォルダ３０と、該フォルダ３０の前後方側に設置されて携帯端末機の情報を表示する補助ディスプレイパネル３１及び主ディスプレイパネル(図示せず)と、ヒンジ機構４０側に設置されるカメラユニット１０と、から構成される。
【０００６】
図９に示すように、カメラユニット１０は、多様な位置から被写体を撮影できるように回動可能に構成された回転型カメラで、ヒンジ機構４０側に回転可能に設置される回転円筒１３と、本体２０に固定されて回転円筒１３を支持するブラケット１４と、回転円筒１３に設置されるカメラレンズ１１ａと、カメラレンズ１１ａと回路部との間を連結して信号を伝達するＦＰＣＢ１２と、を含む。
【０００７】
前述したように構成された従来技術の携帯端末機を利用して撮影を行なうためには、主ディスプレイパネルに表示される画像を基礎にして、回転円筒１３を周方向１６に回転させることでカメラレンズ１１ａを被写体の方向に調節し、被写体が前記主ディスプレイパネルに所望の構図で表示されると、撮影ボタンを操作する。
【０００８】
従って、従来技術の携帯端末機は、画像通信時に使用者及び使用者の周囲の画像を他の使用者に伝送しようとする場合、回転円筒１３を回転させながら前記カメラレンズ１１ａを被写体の方に調節しなければならない。
【０００９】
また、携帯端末機を利用して高画質の写真を撮影するためには、高画素数のカメラが装着されることが望ましく、画像通信のためには、できるだけ伝送用データの大きさの小さい低画質の写真を撮影する低画素数のカメラが装着されることが望ましい。しかしながら、従来技術の携帯端末機は、単一のカメラによって被写体の撮影及び画像通信を全て行なうという側面から、高画素数のカメラが装着された場合は、画像データ伝送側面で不利であり、低画素数のカメラが装着された場合は、被写体撮影における良質の撮影ができないという問題点がある。
【発明の開示】
【発明が解決しようとする課題】
【００１０】
本発明は、前述したような従来技術の問題点を解決するためのもので、本発明の目的は、画像通信及び音声通信を同時に可能にし、相手に良質の画像情報が伝送でき、合わせて、相手から良質の画像情報が受信できる携帯用通信装置を提供することにある。
【００１１】
また、本発明の目的は、画像通話中に相手に伝送するために画像情報またはタッチパッドによって使用者がペンまたは手で描いた文字などを、そのまま伝送できる携帯端末機を提供することにある。
【００１２】
また、本発明の目的は、複数の撮像手段及びディスプレイ手段を備えることによって、画像通信機能をより向上できる携帯端末機を提供することにある。
【課題を解決するための手段】
【００１３】
本発明の一実施形態による携帯用通信装置は、本体と、該本体に回動可能に設置されて前記本体を覆うか、または開放させるフォルダと、画像を撮影する少なくとも一つの第１のカメラと、前記フォルダに設置される少なくとも一つのディスプレイユニットと、前
記本体に設置される少なくとも一つのディスプレイユニットと、を含む。前記フォルダ及び前記本体に位置するディスプレイユニットは、使用者が通信装置を前後方に回転する動作なしに画像情報を提供する。
【００１４】
本発明の一実施形態において、前記本体に設置されるディスプレイユニットの画面は、使用者に向かって傾斜して設置される。前記本体に設置されるディスプレイユニットの画面の前記本体に対する傾斜角は、前記フォルダが完全に開放された場合の前記本体に対する前記フォルダの傾斜角と実質的に同一に設定されることが望ましい。前記本体に設置されるディスプレイユニットの画面の前記本体に対する傾斜角は、４０°〜５５°である。
【００１５】
本発明の他の実施形態において、前記本体に設置されるディスプレイユニットの画面は、前記本体と同一の平面をなすように設置されることができる。
【００１６】
前記本体に設置されるディスプレイユニットの画面は、前記フォルダが前記本体を覆った状態で外部に露出され、前記フォルダには、前記本体に設置されるディスプレイユニットの画面を覆う透明保護窓が設置されることが望ましい。
【００１７】
前記本体に設置されるディスプレイユニットの画面には、文字情報及び絵情報が入力されるタッチパッドが設置され、前記文字情報及び絵情報は、前記本体及び前記フォルダに設置されるディスプレイユニットの画面に選択的に表示され、携帯用通信装置に貯蔵されることができ、他の使用者に伝送されることができる。
【００１８】
前記フォルダに設置されるディスプレイユニットの画面は、複数の画面領域に分けられ、前記カメラによって撮影される画像情報、タッチパッドによって入力される文字情報及び絵情報、他の使用者から受信されるなどが複数の画面領域に選択的に表示される。前記複数の画面領域中、第１の画面領域には前記カメラによって撮影される画像情報が表示され、第２の画面領域には、文字、絵などの他の情報が表示されるようにすることができる。
【００１９】
前記第１の画面領域には、他の使用者から受信された画像情報などが表示されることができ、前記第２の画面領域には、前記タッチパッドによって入力された情報が表示されることができる。
【００２０】
前記カメラは、前記本体の前記ディスプレイユニットが設置される一面に設置されるこ
とができ、前記ディスプレイユニットが設置される面の反対側の面に設置されることができる。さらに、前記カメラは、前記フォルダの前記ディスプレイユニットが設置される一面に設置されることができ、前記ディスプレイユニットが設置される面の反対側の面に設置されることができる。
【００２１】
前記カメラが設置される位置にはフラッシュユニットが位置し、前記カメラを開閉または閉鎖するスライドカバーが設置される。
【００２２】
本発明の携帯用通信装置には、第１のカメラと別途に第２のカメラが備えられることができ、前記第２のカメラが設置される位置には、第２のフラッシュユニットが設置されることができる。また、前記第１のカメラ及び第２のカメラには電荷結合素子(ＣＣＤ)が備えられ、前記第１及び第２のカメラの電荷結合素子の画素数は、相異して設計されることが望ましい。
【００２３】
前記第２のカメラは、前記本体の前記第２のディスプレイユニットが設置される位置の反対側に位置し、前記第２のディスプレイユニットの画面は、前記フォルダが前記本体を覆った状態で外部に露出され、前記フォルダが前記本体を覆った状態で前記第２のカメラが動作する時、前記第２のカメラによって撮影される画像情報は、前記第２のディスプレイユニットの画面に自動的に表示される。
【００２４】
従って、本発明は、以下を提供する。
１．本体と、
該本体に回動可能に設置されて前記本体を覆うか、または開放させるフォルダと、
画像を撮影する少なくとも一つの第１のカメラと、
前記フォルダに設置されて情報を表示する少なくとも一つのディスプレイユニットと、
前記本体に設置されて情報を表示する少なくとも一つのディスプレイユニットと、を含み、
前記フォルダに設置されるディスプレイユニット及び前記本体に設置されるディスプレイユニットは、前記フォルダが開放された状態で同時に情報を表示することを特徴とする携帯用通信装置。
２．前記本体に位置するディスプレイユニットの画面は、使用者に向かって傾斜して設置されることを特徴とする項目１に記載の携帯用通信装置。
３．前記本体に位置するディスプレイユニットの画面の前記本体に対する傾斜角は、前記フォルダが完全に開放された場合の前記本体に対する前記フォルダの傾斜角と実質的に同一であることを特徴とする項目２の記載の携帯用通信装置。
４．前記本体に位置するディスプレイユニットの画面の前記本体に対する傾斜角は、４０°〜５５°であることを特徴とする項目２に記載の携帯用通信装置。
５．前記本体に位置するディスプレイユニットの画面は、前記本体と同一の平面をなすように設置されることをする項目１に記載の携帯用通信装置。
６．前記本体に位置するディスプレイユニットの画面は、前記フォルダが前記本体を覆った状態で外部に露出されることを特徴とする項目１に記載の携帯用通信装置。
７．前記フォルダには、前記本体に位置するディスプレイユニットの画面を覆う透明保護窓が設置されることを特徴とする項目６に記載の携帯用通信装置。
８．前記本体に位置するディスプレイユニットの画面には、文字情報及び絵情報が入力されるタッチパッドが設置されることを特徴とする項目１に記載の携帯用通信装置。
９．前記ディスプレイユニットの画面のうちいずれか一つには、文字情報及び絵情報のうちいずれか一つが表示されることを特徴とする項目８に記載の携帯用通信装置。
１０．前記文字情報及び前記絵情報は、携帯用通信装置に貯蔵されることを特徴とする項目８に記載の携帯用通信装置。
１１．前記文字情報及び前記絵情報を他の使用者の携帯用通信装置に伝送できることを特
徴とする項目８に記載の携帯用通信装置。
１２．前記第１のカメラによって撮影される画像情報は、前記本体に位置するディスプレイユニットの画面に表示されることを特徴とする項目１に記載の携帯用通信装置。
１３．前記第１のカメラによって撮影される画像情報は、前記フォルダに位置するディスプレイユニットの画面に表示されることを特徴とする項目１に記載の携帯用通信装置。
１４．前記フォルダに位置するディスプレイユニットの画面は、第１の画面領域及び第２の画面領域から構成され、前記第１のカメラによって撮影される画像情報は、前記第１の画面領域に表示され、少なくとも一つの情報は、前記第２の画面領域に表示されることを特徴とする項目１３に記載の携帯用通信装置。
１５．前記本体に位置するディスプレイユニットの画面には、文字情報及び絵情報が入力されるタッチパッドが設置されることを特徴とする項目１４に記載の携帯用通信装置。
１６．前記第１の画面領域及び前記第２の画面領域に表示される情報は、使用者の選択によって相互置き換えられて表示されることを特徴とする項目１４に記載の携帯用通信装置。
１７．前記第１のカメラが設置される位置に設置される第１のフラッシュユニットをさらに含むことを特徴とする項目１に記載の携帯用通信装置。
１８．前記第１のカメラを開閉するスライドカバーをさらに含むことを特徴とする項目１に記載の携帯用通信装置。
１９．画像を撮影する第２のカメラをさらに含むことを特徴とする項目１に記載の携帯用通信装置。
２０．前記第２のカメラが設置される位置に設置される第２のフラッシュユニットをさらに含むことを特徴とする項目１９に記載の携帯用通信装置。
２１．前記第１のカメラによって撮影される画像情報及び前記第２のカメラによって撮影される画像情報のうちいずれか一つは、使用者の選択によって前記フォルダに位置するディスプレイユニットの画面に表示されることを特徴とする項目１９に記載の携帯用通信装置。
２２．前記フォルダに位置するディスプレイユニットの画面は、第１の画面領域及び第２の画面領域から構成され、前記第１のカメラによって撮影される画像情報は、前記第１の画面領域に表示され、少なくとも一つの情報は、前記第２の画面領域に表示されることを特徴とする項目２１に記載の携帯用通信装置。
２３．前記第２のカメラによって撮影される画像情報は、前記第２の画面領域に表示されることを特徴とする項目２２に記載の携帯用通信装置。
２４．前記本体に位置するディスプレイユニットの画面には、文字情報及び絵情報が入力されるタッチパッドが設置されることを特徴とする項目２２に記載の携帯用通信装置。
２５．前記第１のディスプレイユニットの第１の画面領域及び第２の画面領域に表示される情報は、使用者の選択によって相互置き換えられて表示されることを特徴とする項目２２に記載の携帯用通信装置。
２６．前記第１のカメラによって撮影される画像情報及び前記第２のカメラによって撮影される画像情報のうちいずれか一つは、前記本体に位置するディスプレイユニットの画面に表示されることを特徴とする項目１９に記載の携帯用通信装置。
２７．前記第２のカメラは、前記本体の前記ディスプレイユニットが設置される位置の反対側に位置し、
前記本体に位置されるディスプレイユニットの画面は、前記フォルダが前記本体を覆った状態で外部に露出され、
前記フォルダが前記本体を覆った状態で前記第２のカメラが動作する時、前記第２のカメラによって撮影される画像情報は、前記本体に位置するディスプレイユニットの画面に自動的に表示されることを特徴とする項目１９に記載の携帯用通信装置。
２８．本体と、
該本体に回動可能に設置されて前記本体を覆るか、または、開放させるフォルダと、
該フォルダに設置されて画像を撮影する少なくとも一つの第１のカメラと、
前記本体に設置されて画像を撮影する少なくとも一つの第２のカメラと、
前記フォルダに設置されて情報を表示する少なくとも一つのディスプレイユニットと、
前記本体に設置されて情報を表示する少なくとも一つのディスプレイユニットと、を含み、
前記第１のカメラによって撮影される画像情報、前記第２のカメラによって撮影される画像情報及び他の使用者から受信された画像情報は、前記フォルダに位置するディスプレイユニットの画面及び前記本体に位置するディスプレイユニットの画面に選択的に表示され、前記本体に位置するディスプレイユニットの画面は、前記フォルダが前記本体を覆った状態で外部に露出されることを特徴とする携帯用通信装置。
２９．前記本体に位置するディスプレイユニットの画面は、使用者に向かって傾斜して設置されることを特徴とする項目２８に記載の携帯用通信装置。
３０．前記フォルダには、前記本体に位置するディスプレイユニットの画面を覆う透明保護窓が設置されることを特徴とする項目２８に記載の携帯用通信装置。
３１．前記本体に位置するディスプレイユニットの画面には、文字情報及び絵情報が入力されるタッチパッドが設置されることを特徴とする項目２８に記載の携帯用通信装置。
３２．前記文字情報及び前記絵情報は、携帯用通信装置に貯蔵されることを特徴とする項目３１に記載の携帯用通信装置。
３３．前記文字情報及び前記絵情報を他の使用者の携帯用通信装置に伝送できることを特徴とする項目３１に記載の携帯用通信装置。
３４．前記第１のカメラによって撮影される画像情報及び前記第２のカメラによって撮影される画像情報のうちいずれか一つは、前記フォルダに位置されるディスプレイユニットの画面に選択的に表示されることを特徴とする項目２８に記載の携帯用通信装置。
３５．前記第１のカメラによって撮影される画像情報及び前記第２のカメラによって撮影される画像情報のうちいずれか一つは、前記本体に位置されるディスプレイユニットの画面に選択的に表示されることを特徴とする項目２８に記載の携帯用通信装置。
３６．前記フォルダに位置するディスプレイユニットの画面は、第１の画面領域及び第２の画面領域から構成されることを特徴とする項目２８に記載の携帯用通信装置。
３７．前記第１の画面領域及び前記第２の画面領域に表示される情報は、使用者の選択によって相互置き換えられて表示されることを特徴とする項目３６に記載の携帯用通信装置。
３８．前記第２のカメラを開閉するスライドカバーをさらに含むことを特徴とする項目２８に記載の携帯用通信装置。
３９．前記第１のカメラが設置される位置に設置される第１のフラッシュユニットと、前記第２のカメラが設置される位置に設置される第２のフラッシュユニットと、をさらに含むことを特徴とする項目２８に記載の携帯用通信装置。
４０．前記第２のカメラは、前記本体の前記ディスプレイユニットが設置される位置の反対側に位置し、前記フォルダが前記本体を覆った状態で前記第２のカメラが動作する時、前記第２のカメラによって撮影される画像情報は、前記本体に位置されるディスプレイユニットの画面に自動的に表示されることを特徴とする項目２８に記載の携帯用通信装置。
【発明の効果】
【００２５】
本発明による携帯端末機は、使用者が前記フォルダを開いた状態で第１のディスプレイユニット以外に第２のディスプレイユニットを共に見ることを可能にすることによって、画像通話の機能をより多様化することができ、前記第２のディスプレイユニットにタッチパッドを設置することによって、使用者がペンまたは手で描いた文字や絵を貯蔵するか、または、相手に伝送することができる。
【００２６】
また、本発明は、前記第１のカメラに装着された電荷結合素子(ＣＣＤ)を前記第２のカメラに装着された電荷結合素子に比べて低画素数を有するように構成し、高画素数の第１のカメラは画像通話時に使用者の撮影のために主に使用し、低画素数の第２のカメラは使
用者周囲の被写体の撮影のために主に使用することによって、画像通話の機能及びデジタルカメラの機能を両方とも効果的に提供することができる。
【００２７】
また、本発明は、前記第２のディスプレイユニットの画面を前記本体から傾斜して設置することによって、使用者が容易に前記第２のディスプレイユニットの画面を見ることができ、使用者が前記第２のディスプレイユニットに設置されたタッチパッドを容易に利用することができる
また、前記第２のカメラ及び前記第２のディスプレイユニットを利用して、前記フォルダを本体から開けなくても、被写体の像の構図を調節しながら撮影できるという利点がある。従って、本発明は、デジタルカメラと類似の形状及び方法によって被写体の撮影が可能であるので、使用者が携帯端末機の付随的な機能として撮影を行なうことでなく、一つの独立的なデジタルカメラのような認識及び洗練美を提供し、従来技術のデジタルカメラと類似の方式によって撮影が可能になるので、携帯端末機のカメラ機能に習熟しない人も簡便に撮影することができる。
【発明を実施するための最良の形態】
【００２８】
このような目的を達成するために、本発明による携帯用通信装置は、使用者が容易に被写体を撮影することができ、カメラから入力されるか、他の使用者から受信された画像を容易に見ることのできる複数のカメラ及びディスプレイ画面を提供する。特に、カメラ及びディスプレイ画面は、使用者がカメラによって被写体を撮影する途中に良質の画像を見ることができるように、前記携帯用通信装置に位置する。本発明においては、携帯端末機に関して説明しているが、本発明は、音声通信及び画像通信を同時に遂行し得る携帯用通信装置にも適用できる。
【００２９】
以下、図面を参照して本発明の望ましい実施形態に対して説明する。
【００３０】
図１ないし図６に示すように、本発明の一実施形態による携帯端末機１００は、回路部(図示せず)が設置され、フォルダ１２０が回転可能に結合される本体１１０と、フォルダ１２０に位置される第１のディスプレイユニット１２２と、を含む。
【００３１】
フォルダ１２０は、第１のディスプレイユニット１２２が設置されるフォルダケース１２１と、第１のディスプレイユニット１２２の上部に設置される第１のカメラ１２４と、第１のディスプレイユニット１２２の下側に設置される第１のフラッシュユニット１２５と、フォルダケース１２１の下部両側から延長され、画面露出部１２６を形成する一対のレッグ１２７と、から構成される。
【００３２】
第１のカメラ１２４及び第１のフラッシュユニット１２５は、使用者方向に位置した被写体の撮影のために使用される。画面露出部１２６は、フォルダ１２０が本体１１０を覆った状態で使用者が、後述する第２のディスプレイユニット１１６の画面を見ることを可能にする役割をする。画面露出部１２６には、第２のディスプレイユニット１１６を外部から保護できるように透明の保護窓１２６ａが設置されることが望ましい。
【００３３】
本体１１０は、前記回路部を収容する本体ケース１１１と、該本体ケース１１１の前方面に位置されるキーパッド１１２と、送話部１１３と、本体ケース１１１の傾斜突出部１１５に位置される第２のディスプレイユニット１１６と、傾斜突出部１１５の両側に形成されてフォルダ１２０のヒンジ軸１２８が回転可能に挿入されるヒンジ孔１１５ａと、本体ケース１１１の背面にロック手段１１４ａによって着脱可能に装着されるバッテリー１１４と、本体ケース１１１の背面に形成される凹入部１１８ｂの内部に位置される第２のカメラ１１８と、凹入部１１８ｂの内側に第２のカメラ１１８に隣接して設置される第２のフラッシュユニット１１９と、凹入部１１８ｂの開放側にスライド可能に設置されるス
ライドカバー１１８ａと、から構成される。
【００３４】
前記回路部は、携帯端末機１００の通信機能を制御する。キーパッド１１２を通じては使用者が入力する情報が入力される。送話部１１３には、使用者の音声が入力される。第１及び第２のディスプレイユニット１２２、１１６は、使用者の選択によって多様な画像情報を表示する。傾斜突出部１１５によって第２のディスプレイユニット１１６は本体ケース１１１に対して傾斜して設置される。第２のカメラ１１８及び第２のフラッシュユニット１１９は、使用者の反対方向に位置した被写体の撮影のために使用される。スライドカバー１１８ａは、凹入部１１８ｂを開閉する役割をする。
【００３５】
また、フォルダ１２０のヒンジ軸１２８は、本体１１０の傾斜突出部１１５のヒンジ孔１１５ａに挿入され、前記フォルダ１２０を閉じるか、または開放させる間に保護窓１２６ａと傾斜突出部１１５との間の干渉が発生しないように、ヒンジ軸１２８の中心から第２のディスプレイユニット１１６の画面までの最大距離ｌ２は、ヒンジ軸１２８の中心から保護窓１２６ａまでの最小距離ｌ１より短く形成されることが望ましい。
【００３６】
ここで、第１のカメラ１２４は、使用者の画像を撮影して相手に伝送するための画像通話用として主に使用されるので、比較的に低画素数の電荷結合素子(ＣＣＤ)が設置され、第２のカメラ１１８は、使用者周囲の被写体の動画像や停止画像の撮影に主に使用されるので、比較的に高画素数の電荷結合素子が設置される。
【００３７】
第１のカメラ１２４によって撮影される画像は、第１のディスプレイユニット１２２の画面に表示され、第２のカメラ１１８によって撮影される画像は、第２のディスプレイユニット１１６の画面に表示される。画像表示はこれに限定されずに、第１のカメラ１２４によって撮影される画像が第２のディスプレイユニット１１６の画面に表示され、第２のカメラ１１８によって撮影される画像が第１のディスプレイユニット１２２に表示されることもできる。
【００３８】
さらに、これに限定されずに、第１のディスプレイユニット１２２の画面を第１の画面領域１２２ａと第２の画面領域１２２ｂに分け、第１のカメラ１２４によって撮影される画像は、第１の画面領域１２２ａに表示し、第２のカメラ１１８によｌって撮影される画像は、第２の画面領域１２２ｂに表示することもできる。第１及び第２の画面領域１２２ａ、１２２ｂのそれぞれの形状及び大きさ比率は、使用者の好みによって適切に調節できるようにすることが望ましい。
【００３９】
ここで、第１及び第２の画面領域１２２ａ、１２２ｂは、画像通話時、第１のカメラ１２４によって撮影された使用者側の画像と相手から伝送された相手側の画像をそれぞれ表示する役割もする。
【００４０】
一方、フォルダ１２０が本体１１０を覆った場合、第２のカメラ１１８によって撮影される画像は、第２のディスプレイユニット１１６の画面に表示されるようにすることが望ましい。即ち、フォルダ１２０が本体１１０を覆った場合も、第２のディスプレイユニット１１６の画面に第２のカメラ１１８の撮影画像を表示するようにすることにより、フォルダ１２０を開かなくても被写体の画像を撮影することができる。ここで、スライドカバー１１８ａが移動して凹入部１１８ｂが開放されるとき、即ち、第２のカメラ１１８が外部に露出される場合は、第２のカメラ１１８に入力される画像情報が第２のディスプレイユニット１１６の画面に自動に表示されるようにすることが望ましい。
【００４１】
図６に示すように、第２のディスプレイユニット１１６の画面にはタッチパッドが設置されることが望ましい。即ち、通話待機状態や一般的な音声通話状態では、バッテリー電
源容量、現在時刻、振動表示、アラーム表示などの携帯端末機の基本情報を表示し、画像通話状態では、ペンまたは手で第２のディスプレイユニット１１６上に文字や絵を描いて通話中にも相手に伝送することもでき、画像通話状態で画像通話モードを変更するために、第２のディスプレイユニット１１６に表示される通話モード変更ポップアップ(pop-up)メニューをペンまたは手でタッチして選択することにより、通話モードを変更することも可能である。
【００４２】
一方、第２のディスプレイユニット１１６のタッチパッド機能は、画像通話状態でのみ使用できるように限定されることではなく、使用者の設定によって必要に応じてメモをしてメモを貯蔵するようにする手帳機能も共に有する。
【００４３】
ここで、第２のディスプレイユニット１１６上にペンまたは手で描いた文字や 絵は、
第１のディスプレイユニット１２２の画面に表示され、第１のディスプレイユニット１２２に表示される他の絵と共に貯蔵されるか、または相手に伝送できるようにすることが望ましい。
【００４４】
一方、第２のカメラ１１８の設置位置は、前述した本発明の実施形態に限定されずに、使用者方向の被写体を撮影し得るように本体ケース１１１の前方側に設置されることができる。また、第１のカメラ１２４の設置位置も前述した本発明の実施形態に限定されずに、使用者の反対方向の被写体を撮影し得るように第１のディスプレイユニット１２２が設置される面の反対側に設置されることができる。
【００４５】
この場合、第２のカメラ１１８は、使用者の画像を撮影して相手に伝送するための画像通話用として使用されるので、比較的に低画素数の電荷結合素子(ＣＣＤ)が設置され、第１のカメラ１２４は、使用者周囲の被写体の動画像または停止画像の撮影に主に使用されるので、比較的に高画素数の電荷結合素子が設置されることが望ましい。
【００４６】
以下、本発明の一実施形態による携帯端末機の作用に対して説明する。
【００４７】
本発明の一実施形態による携帯端末機は、画像通話が容易な携帯端末機で、相手から画像通話を着信する場合は、フォルダ１２０を開いて通話ボタン１１２ａを押すと、自動に画像通話モードが始まり、第１のカメラ１２４を通じて使用者の姿を相手に伝送するようになる。このとき、第１のディスプレイユニット１２２の画面を通じて相手の姿を見ることができる。
【００４８】
第１のディスプレイユニット１２２が第１の画面領域１２２ａと第２の画面領域１２２ｂに分けられる場合、第１の画面領域１２２ａには相手の姿が表示され、第２の画面領域１２２ｂには使用者自身の姿が表示される。
【００４９】
画像通話中、より多様なデータの伝送が可能になるように、タッチパッドで構成された第２のディスプレイユニット１１６を利用して、手またはペンで直接文字を書いて相手に伝送することができる。また、画像を通じて相手を見ながら第２のディスプレイユニット１１６の画面を利用したチャットも可能である。
【００５０】
図６は、画像通話をする一例を示し、地図のような絵データを第１のディスプレイユニット１２２の第１の画面領域１２２ａを通じて相手と共有し、相手の姿を第２の画面領域１２２ｂに表示し、第２のディスプレイユニット１１６にペンまたは手で入力された情報を第１の画面領域１２２ａの絵データに入力させながら、相手に情報を伝送することができる。
【００５１】
ここで、第１のディスプレイユニット１２２の第１の画面領域１２２ａ及び第２の画面領域１２２ｂは、相手の姿や使用者自身の姿に限定されることではなく、画像モード設定によって第１のディスプレイユニット１２２の第１の画面領域１２２ａと第２の画面領域１２２ｂ、及び第２のディスプレイユニット１１６の画面３種類のウィンドウを使用者の意図によって変更しながら使用することができる。
【００５２】
本発明の一実施形態による携帯端末機を使用して被写体を撮影する場合は、本体１１０の背面に形成された第２のカメラ１１８が外部に露出されるようにスライドカバー１１８ａを移動させ、撮影ボタン１１７を押すことによって撮影するようになる。
【００５３】
使用者が、フォルダ１２０が本体１１０から開放された状態で撮影をしようとする場合は、被写体の像が第１のディスプレイユニット１２２の画面に表示され、使用者が、フォルダ１２０が閉じられた状態で撮影をしようとする場合は、被写体の像が外部に露出された第２のディスプレイユニット１１６の画面に表示されるようにする。即ち、フォルダ１２０を閉じた状態で撮影を行なう場合は、本体１１０の背面の第２のカメラ１１８が被写体に向かい、同時に、使用者は被写体を目で見ながら本体１１０の前面の第２のディスプレイユニット１１６を通じて被写体の像の構図を調節できる形態になるため、被写体の構図を調節することが容易である。従って、本発明による携帯端末機１００は、フォルダ１２０を開かない状態では、デジタルカメラと類似の形状及び方法によって被写体を撮影することが可能であるので、使用者が携帯端末機の付随的な機能として撮影をすることでなく、一つの独立的なデジタルカメラのような認識及び洗練美を提供し、被写体の撮影時、第１のディスプレイユニット１２２を外部に露出させるなどの不便がないという利点がある。
【００５４】
従って、従来技術のデジタルカメラと類似の方式による撮影が可能になることにより、携帯端末機のカメラ機能に習熟しない人も簡便に撮影することができる。
【００５５】
一方、第１のカメラ１２４を利用して被写体を撮影しようとする場合、例えば、使用者自身を含んで撮影をしようとする場合は、本体１１０の側面に形成されたモジュール選択スイッチ１１７ａによって第１のカメラ１２４を指定し、フォルダ１２０を開いて第１のカメラ１２４を通じて第１のディスプレイユニット１２２に表示される被写体の像の構図を調節し、撮影ボタン１１７を押すことで第１のカメラを利用して被写体の像を撮影することができる。
【００５６】
また、暗い場所で第１のカメラ１２４または第２のカメラ１１８を利用して被写体を撮影するか、相手に使用者の姿を伝送するために、第１のフラッシュユニット１２５または第２のフラッシュユニット１１９を使用することができる。また、受話部１２３に耳を付けて同時に第１及び第２のディスプレイユニット１２２、１１６の画面を見ながら通話することが難しいので、イヤ-マイクフォンを使用するか、受話部１２３の音量を大きくし
てスピーカーホンとして使用する。
【００５７】
本発明の一実施形態による携帯端末機を利用する一般的な音声通話方式は、従来技術の通話方式と類似しているが、フォルダ１２０を開いて開放状態で通話をする途中、第２のディスプレイユニット１１６のタッチパッドを利用して通話音量などの情報を調整するか、または簡単なメモをして貯蔵することができるという利点がある。
【００５８】
図７は、本発明の他の実施形態による携帯端末機の構成を示す分解斜視図で、前述した本発明の一実施形態の機能及び構成が同一の部分に対しては、同一の参照符号を付与し、それに対する詳細な説明は省略する。
【００５９】
本発明の他の実施形態による携帯端末機２００は、第２のディスプレイユニット２１６が設置される本体２１０と、該本体２１０に回動可能に連結され、第１のディスプレイユニット２２２が設置されるフォルダ２２０と、から構成される。
【００６０】
フォルダ２２０は、該フォルダ２２０の一側に突出され、その両端にヒンジ軸２４０が形成される第１の固定部２２７と、本体２１０の一側から第１の固定部２２７の幅だけ離隔した位置でそれぞれ突出され、ヒンジ軸２４０が回動可能に挿入されるヒンジ孔２１１ｂがそれぞれ形成される一対の第２の固定部２１１ａと、からなる回動機構を通じて本体２１０に回動可能に固定される。
【００６１】
第２のディスプレイユニット２１６は、本体２１０と平面をなすように形成され、フォルダ２２０が閉められた状態で第２のディスプレイユニット２１６の画面が外部に露出されるように、フォルダ２２０には画面露出部２２６が貫通形成される。従って、第２のディスプレイユニット２１６の大きさが相対的に大きい場合、または、第２のディスプレイユニット２１６が本体２１０の前面の中間または下段に設置される場合も、前述した本発明の一実施形態場合と同一の効果を具現することができる。フォルダ２２０の画面露出部２２６の外側には、第２のディスプレイユニット２１６の画面を外部から保護する透明保護窓２２６ａが設置されることが望ましい。
【００６２】
一方、本発明のまた他の実施形態として、第２のディスプレイユニット２１６は、本体２１０の前面と同一平面上に形成されたが、使用者の視野角を確保するように第２のディスプレイユニット２１６は、傾斜して形成されることができる。この場合の画面露出部２２６は、第２のディスプレイユニット２１６の突出部と干渉が発生しないように充分の大きさに形成される。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６４】
【図１】本発明の一実施形態による携帯端末機の分解斜視図である。
【図２】図１の携帯端末機の斜視図である。
【図３】図１の携帯端末機の正面図である。
【図４】図１の携帯端末機の背面図である。
【図５】図１の携帯端末機の開放状態を示す側面図である。
【図６】図１の携帯端末機の開放状態を示す斜視図である。
【図７】本発明の他の実施形態による携帯端末機の分解斜視図である。
【図８】従来技術の携帯端末機を示す斜視図である。
【図９】図８の携帯端末機のカメラを示す斜視図である。＜符号の説明＞１１０、２１０：本体１１２：キーパッド１１３：送話部１１４：バッテリー１１５：傾斜突出部１１６、２１６：第２のディスプレイユニット１１７：撮影ボタン１１８：第２のカメラ１１８ａ：スライドカバー１１９：第２のフラッシュユニット１２０：フォルダ１２２：第１のディスプレイユニット１２３：受話部１２４：第１のカメラ１２５：第１のフラッシュユニット１２６、２２６：画面露出部１２６ａ、２２６ａ：透明保護窓ａｎｇ１：フォルダ開放角ａｎｇ２：突出部傾斜角ａｎｇ３：視野角
【図１】
0004546503.tif 000002
【図２】
0004546503.tif 000003
【図３】
0004546503.tif 000004
【図４】
0004546503.tif 000005
【図５】
0004546503.tif 000006
【図６】
0004546503.tif 000007
【図７】
0004546503.tif 000008
【図８】
0004546503.tif 000009
【図９】
0004546503.tif 000010